(57)【特許請求の範囲】
【請求項１】
少なくとも底板を有し、折板屋根の山部のピッチと略同一の幅を有する基盤材が、前記山部に架け渡すように配置され、
前記基盤材の前記底板上に植栽部が設けられる折板屋根緑化設備であって、
前記基盤材に、前記折板屋根の山部に直交する方向にのみリブが形成され、
前記リブの両端部がそれぞれ前記山部の頂面まで延びるように設けられることを特徴とする折板屋根緑化設備。
【請求項２】
少なくとも底板を有し、折板屋根の山部のピッチと略同一の幅を有する基盤材が、前記山部に架け渡すように配置され、
前記基盤材の前記底板上に植栽部が設けられる折板屋根緑化設備であって、
前記基盤材に、前記折板屋根の山部に直交する方向にのみリブが形成され、
前記リブの両端部がそれぞれ前記山部の頂面まで延びるように設けられ、
前記山部の頂面において、該山部に架け渡された前記基盤材の前記底板の底面が面状に支持されていることを特徴とする折板屋根緑化設備。
【請求項３】
前記リブは、前記基盤材の前記底板の底面よりも高く形成されていると共に、
上面が略平坦な頂部と、前記頂部の両端縁から下方に屈曲して延設されている傾斜面とから構成され、
上面側が凸状で、下面側が凹状になっていることを特徴とする請求項１又は２記載の折板屋根緑化設備。
【請求項４】
前記基盤材の底面の平面視面積が、前記頂部及び前記傾斜面の平面視面積よりも大きく設定されていることを特徴とする請求項３記載の折板屋根緑化設備。
【請求項５】
前記基盤材が前記底板から立ち上がる側面を有し、
前記リブが前記底板から前記側面まで一連に延びて形成されていることを特徴とする請求項１〜４の何れかに記載の折板屋根緑化設備。
【請求項６】
前記基盤材が前記底板から立ち上がる側面を有し、
前記側面の内の少なくとも平面視で対向する２辺に凹部が形成され、
前記凹部に潅水パイプが配設されることを特徴とする請求項１〜４の何れかに記載の折板屋根緑化設備。
【請求項７】
少なくとも底板を有し、折板屋根の山部のピッチと略同一の幅を有する基盤材が、前記山部に架け渡すように配置され、
前記基盤材の前記底板上に植栽部が設けられる折板屋根緑化設備であって、
前記基盤材に、少なくとも前記折板屋根の山部に直交する方向にリブが形成され、
前記リブの両端部がそれぞれ前記山部の頂面まで延びるように設けられていると共に、
前記基盤材が前記底板から立ち上がる側面を有し、
前記側面の内の前記折板屋根の前記山部に直交する対向する２辺に凹部が形成され、
前記凹部に潅水パイプが配設されており、
前記凹部近傍の前記底板に、前記山部と平行方向に延びて上方に突出する平行リブが形成されていることを特徴とする折板屋根緑化設備。
【請求項８】
少なくとも底板を有し、折板屋根の山部のピッチと略同一の幅を有する基盤材が、前記山部に架け渡すように配置され、
前記基盤材の前記底板上に植栽部が設けられる折板屋根緑化設備であって、
前記基盤材に、少なくとも前記折板屋根の山部に直交する方向にリブが形成され、
前記リブの両端部がそれぞれ前記山部の頂面まで延びるように設けられていると共に、
前記基盤材が前記底板から立ち上がる側面を有し、
前記側面の内の前記折板屋根の前記山部に並行する対向する２辺に凹部が形成され、
前記凹部に潅水パイプが配設されており、
前記凹部近傍の前記底板に、前記山部と直交方向に延びて上方に突出するリブが形成されていることを特徴とする折板屋根緑化設備。
【請求項９】
少なくとも底板を有し、折板屋根の山部のピッチと略同一の幅を有する基盤材が、前記山部に架け渡すように配置され、
前記基盤材の前記底板上に植栽部が設けられる折板屋根緑化設備であって、
前記基盤材に、少なくとも前記折板屋根の山部に直交する方向にリブが形成され、
前記リブの両端部がそれぞれ前記山部の頂面まで延びるように設けられていると共に、
前記基盤材が前記底板から立ち上がる側面を有し、
前記側面の内の前記折板屋根の前記山部に直交する対向する２辺に凹部が形成され、
前記凹部に潅水パイプが配設されており、
前記凹部近傍の前記底板に、前記山部と直交方向に延びて上方に突出するリブが形成されていることを特徴とする折板屋根緑化設備。
【請求項１０】
請求項１〜９の何れかに記載の折板屋根緑化設備を折板屋根に固定する固定構造であって、
前記折板屋根上に接着剤又は両面テープからなる固定手段が設けられ、
前記固定手段上に前記基盤材を配設して前記基盤材の前記底板と前記折板屋根とが固定されることを特徴とする折板屋根緑化設備の固定構造。
【請求項１１】
請求項１〜９の何れかに記載の折板屋根緑化設備を折板屋根に固定する固定構造、又は請求項１０記載の折板屋根緑化設備の固定構造であって、
前記折板屋根と前記リブとの間に空間が形成され、
前記空間に前記折板屋根と固定状態となる固定部材が配設され、
前記固定部材と前記基盤材とが結合手段により結合されることを特徴とする折板屋根緑化設備の固定構造。
【請求項１２】
前記固定部材が前記結合手段で結合されることにより、少なくとも前記基盤材の垂直方向に対して固定されることを特徴とする請求項１１記載の折板屋根緑化設備の固定構造。
【請求項１３】
前記折板屋根の前記山部の頂面に形成されているハゼ部に前記固定部材が係合されることを特徴とする請求項１１又は１２記載の折板屋根緑化設備の固定構造。
【発明の詳細な説明】
【技術分野】
【０００１】
本発明は、折板屋根に設けられる折板屋根緑化設備及び折板屋根緑化設備の固定構造に関する。
【背景技術】
【０００２】
近年、都市の緑化対策の重要性が認識されつつあり、平坦でない折板屋根等においても緑化が図られている。かかる緑化に貢献するものとして、特許文献１には、山部と谷部が交互に繰り返し、山部頂面から上方に突出するハゼ部を有する折板屋根に、ハゼ部の高さよりも高い下地体若しくはハゼ部の高さと同一高さの下地体を山部頂面に載置して隣り合う山部間に架橋し、その下地体上に緑化ユニットを敷設する緑化設備が開示されている。
【０００３】
また、特許文献２には、金属折板屋根の互いに隣り合う山部に、方形状で且つ横幅が山部の間隔と略同寸法に設定された複数枚の植栽トレイを架設し、折板屋根のハゼ部にボルト・ナット等で挟持固定される固定用金具で植栽トレイの四隅を押さえ込んだ状態で固定し、金属折板屋根を被覆する植生による緑化面を形成する緑化設備が開示されている。
【先行技術文献】
【特許文献】
【０００４】
【特許文献１】特開２００７−８９４３７号公報
【特許文献２】特開２００５−１０５５３６号公報
【発明の概要】
【発明が解決しようとする課題】
【０００５】
しかしながら、特許文献１の緑化設備は、折板屋根に下地体を設ける必要があるため、重量が増し、コスト高になると共に、施工が面倒であるとの不具合を生ずる。他方で、特許文献２の緑化設備は、直接折板屋根に植栽トレイを架設できるため、この不具合は解消できるが、植栽トレイ上に人が乗ることを想定していないため、メンテナンスや施工に劣るという不具合がある。この際、植栽トレイ自体を肉厚にすることも考えられるが、重量が増え、コスト高となると共に、育成材の収容空間も減り、植物の育成に悪影響を与えてしまう虞がある。
【０００６】
また、特許文献１の緑化設備は、下地材上に緑化ユニットを載置して緑化ユニットを下地材に固定する構成であるため、折板屋根の頂面から緑化ユニットの上面までの距離が高くなってしまい、美観を損ねる虞があった。他方で、特許文献２の緑化設備では、折板屋根のハゼ部にボルト・ナット等で挟持固定してなる固定用金具を設け、この固定金具で植栽トレイを固定する構成であるため、固定用金具を設ける空間、ボルト・ナット等を取付けるための寸法等を考慮すると、植栽トレイ相互間に無駄な空間を形成する必要があると共に、上方への寸法に関しても、ボルト・ナットで締め付けるための寸法が必要となり、植栽トレイ自体の高さを高くする必要が生じて、結果的に美観を損ねてしまうという不具合を生ずる。
【０００７】
本発明は上記不具合を解消するためになされたものであり、その目的は、良好な植物の育成が可能であると共に、安価で、緑化面を容易に歩行することができ、メンテナンス性、施工性を向上することができる折板屋根緑化設備及びその固定構造を提供することにある。また、本発明の別の目的は、折板屋根緑化設備と折板屋根とを強固に固定可能であると共に、美観に優れる折板屋根緑化設備及びその固定構造を提供することにある。
【課題を解決するための手段】
【０００８】
本発明の折板屋根緑化設備は、少なくとも底板を有し、折板屋根の山部のピッチと略同一の幅を有する基盤材が、前記山部に架け渡すように配置され、前記基盤材の前記底板上に植栽部が設けられる折板屋根緑化設備であって、前記基盤材に、前記折板屋根の山部に直交する方向にのみリブが形成され、前記リブの両端部がそれぞれ前記山部の頂面まで延びるように設けられることを特徴とする。
この構成によれば、良好な植物の育成が可能であると共に、安価で、基盤材自体の強度や基盤材の設置強度を高められ、緑化面を容易に歩行することができ、メンテナンス性、施工性を向上することができる。尚、リブは複数あると好適であり、強度向上が望める。
【０００９】
また、本発明の折板屋根緑化設備は、少なくとも底板を有し、折板屋根の山部のピッチと略同一の幅を有する基盤材が、前記山部に架け渡すように配置され、前記基盤材の前記底板上に植栽部が設けられる折板屋根緑化設備であって、前記基盤材に、前記折板屋根の山部に直交する方向にのみリブが形成され、前記リブの両端部がそれぞれ前記山部の頂面まで延びるように設けられ、前記山部の頂面において、該山部に架け渡された前記基盤材の前記底板の底面が面状に支持されていることを特徴とする。
【００１０】
本発明の折板屋根緑化設備は、前記リブは、前記基盤材の前記底板の底面よりも高く形成されていると共に、上面が略平坦な頂部と、前記頂部の両端縁から下方に屈曲して延設されている傾斜面とから構成され、上面側が凸状で、下面側が凹状になっていることを特徴とする。
この構成によれば、リブの強度を確実に高めることができる。
【００１１】
本発明の折板屋根緑化設備は、前記基盤材の底面の平面視面積が、前記頂部及び前記傾斜面の平面視面積よりも大きく設定されていることを特徴とする。
この構成によれば、より十分な貯水を行うことが可能となる。
【００１２】
本発明の折板屋根緑化設備は、前記基盤材が前記底板から立ち上がる側面を有し、前記リブが前記底板から前記側面まで一連に延びて形成されていることを特徴とする。
この構成によれば、基盤材の強度を一層高めることができる。
【００１３】
本発明の折板屋根緑化設備は、前記基盤材が前記底板から立ち上がる側面を有し、前記側面の内の少なくとも平面視で対向する２辺に凹部が形成され、前記凹部に潅水パイプが配設されることを特徴とする。
この構成によれば、潅水パイプを安定して設置することができると共に、折板屋根緑化設備に適切な給水を行うことが可能となる。
【００１４】
本発明の折板屋根緑化設備は、前記凹部が前記折板屋根の前記山部に直交する前記側面に形成され、前記凹部近傍の前記底板に、前記山部と平行方向に延びて上方に突出する平行リブが形成されていることを特徴とする。
この構成によれば、凹部に配置される潅水パイプを平行リブで支持することが可能となり、潅水パイプの破損、変形などによる潅水不良を未然に防止することができる。
【００１５】
本発明の折板屋根緑化設備は、前記凹部が前記折板屋根の前記山部に並行する前記側面に形成され、前記凹部近傍の前記底板に、前記山部と直交方向に延びて上方に突出するリブが形成されていることを特徴とする。
この構成によれば、凹部に配置される潅水パイプをリブで支持することが可能となり、潅水パイプの破損、変形などによる潅水不良を未然に防止することができる。
【００１６】
また、本発明の折板屋根緑化設備は、少なくとも底板を有し、折板屋根の山部のピッチと略同一の幅を有する基盤材が、前記山部に架け渡すように配置され、前記基盤材の前記底板上に植栽部が設けられる折板屋根緑化設備であって、前記基盤材に、少なくとも前記折板屋根の山部に直交する方向にリブが形成され、前記リブの両端部がそれぞれ前記山部の頂面まで延びるように設けられていると共に、前記基盤材が前記底板から立ち上がる側面を有し、前記側面の内の前記折板屋根の前記山部に直交する対向する２辺に凹部が形成され、前記凹部に潅水パイプが配設されており、前記凹部近傍の前記底板に、前記山部と直交方向に延びて上方に突出するリブが形成されていることを特徴とする。
【００１８】
本発明の折板屋根緑化設備の固定構造は、前記折板屋根緑化設備を折板屋根に固定する固定構造であって、前記折板屋根上に接着剤又は両面テープからなる固定手段が設けられ、前記固定手段上に前記基盤材を配設して前記基盤材の前記底板と前記折板屋根とが固定されることを特徴とする。
この構成によれば、接着剤又は両面テープにより、折板屋根緑化設備と折板屋根が固定状態となるため、美観を損ねることなく、折板屋根緑化設備を折板屋根に固定することが可能となる。
【００１９】
本発明の折板屋根緑化設備の固定構造は、前記折板屋根緑化設備を折板屋根に固定する固定構造であって、前記折板屋根と前記リブとの間に空間が形成され、前記空間に前記折板屋根と固定状態となる固定部材が配設され、前記固定部材と前記基盤材とが結合手段により結合されることを特徴とする。
この構成によれば、固定部材により、折板屋根緑化設備と折板屋根が固定状態となるため、美観を損ねることなく、折板屋根緑化設備を折板屋根に固定することが可能となる。
【００２０】
本発明の折板屋根緑化設備の固定構造は、前記固定部材が前記結合手段で結合されることにより、少なくとも前記基盤材の垂直方向に対して固定されることを特徴とする。
この構成によれば、基盤材をより安定して固定することができ、耐風圧強度等を増すことができる。
【００２１】
本発明の折板屋根緑化設備の固定構造は、前記折板屋根の前記山部の頂面に形成されているハゼ部に前記固定部材が係合されることを特徴とする。
この構成によれば、基盤材の固定強度を一層増すことができる。
【発明の効果】
【００２２】
本発明の折板屋根緑化設備或いはその固定構造では、良好な植物の育成が可能であると共に、安価で、緑化面を容易に歩行することができ、メンテナンス性、施工性を向上することができ、更に、結果的にコストダウン効果を発揮することができる。
【００２３】
また、基盤材に側面を有し、潅水パイプを配設可能な構成の場合、リブにより、潅水パイプを支持することが可能であり、潅水パイプの破損、変形などによる潅水不良を未然に防止することができる。
【図面の簡単な説明】
【００２４】
【図１】（ａ）は実施例１の折板屋根緑化設備を示す平面図、（ｂ）は実施例１の折板屋根緑化設備を示す正面図。
【図２】（ａ）は実施例１の基盤材を示す平面図、（ｂ）は実施例１の基盤材を示す正面図、（ｃ）は図２（ａ）のＡ−Ａ断面図、（ｄ）は図２（ａ）のＢ−Ｂ断面図、（ｅ）は実施例１の基盤材を示す側面図、（ｆ）は図２（ａ）のＣ−Ｃ断面図、（ｇ）は図２（ａ）のＤ−Ｄ断面図。
【図３】（ａ）は実施例１の育成材を示す平面図、（ｂ）は実施例１の育成材を示す正面図、（ｃ）は図３（ａ）のＡ−Ａ断面図、（ｄ）は図３（ａ）のＢ−Ｂ断面図、（ｅ）は実施例１の育成材を示す側面図、（ｆ）は図３（ａ）のＣ−Ｃ断面図、（ｇ）は図３（ａ）のＤ−Ｄ断面図。
【図４】（ａ）は実施例１の折板屋根緑化設備の施工途中を示す平面説明図、（ｂ）は実施例１の折板屋根緑化設備の施工途中を示す正面説明図。
【図５】図１のＡ部拡大図。
【図６】（ａ）は実施例２の折板屋根緑化設備の施工途中を示す平面説明図、（ｂ）は図６（ａ）のＡ−Ａ断面図。
【図７】図６のＡ部拡大図。
【図８】（ａ）は第１例の基盤材の変形例を示す平面図、（ｂ）は第２例の基盤材の変形例を示す平面図、（ｃ）は第３例の基盤材の変形例を示す平面図、（ｄ）は第４例の基盤材の変形例を示す平面図。
【図９】（ａ−１）は第１例の固定部材の使用状態を示す正面説明図、（ａ−２）は第１例の固定部材の斜視図、（ｂ−１）は第２例の固定部材の使用状態を示す正面説明図、（ｂ−２）は第２例の固定部材の斜視図、（ｃ−１）は第３例の固定部材の使用状態を示す正面説明図、（ｃ−２）は第３例の固定部材の斜視図、（ｄ−１）は第４例の固定部材の使用状態を示す正面説明図、（ｄ−２）は第４例の固定部材の斜視図。
【発明を実施するための最良の形態】
【００２５】
以下、本発明の折板屋根緑化設備及びその固定構造に関する具体的な実施例について説明するが、本発明は以下の実施例に限定されるものではなく、各実施例の各構成要件を組み合わせ或いは組み替える構成や、各実施例の各構成要件を削除するなど本発明の要旨の範囲内の全ての構成が含まれる。
【００２６】
〔実施例１〕
本実施例１の折板屋根緑化設備Ｗ（以下において、単に「緑化設備Ｗ」ということもある）は、図１に示すように山部１と谷部２が交互に設けられ、山部１頂面にカシメ結合されたハゼ部３を有する折板屋根Ｒ上に、隣り合う山部１のピッチと略同一幅からなる基盤材１０が架け渡すように配置され、基盤材１０の底板１０ａ上に植物３０を栽培可能な育成材２０が載置されると共に、育成材２０に植物３０が植栽されることにより、緑化が可能な設備として構成されている。尚、育成材２０及び植物３０が、底板１０ａ上に設けられる植栽部Ｇに相当する。
【００２７】
図２に示すように、本実施例の基盤材１０は、略矩形状の底板１０ａと、底板１０ａの外縁から立上がる４つの側面１０ｂとを有する上面開放の箱型に形成されている。また、底板１０ａには、折板屋根Ｒの山部１に直交する方向に複数のリブ１２が形成され、本例では折板屋根Ｒの流れ方向（図２（ａ）、図１中のＹ方向）に直交する方向に上方に突出した４本のリブ１２が形成されている。このリブ１２は、その両端部がそれぞれ山部１の頂面まで延びるように設けられている（図４参照）。また、リブ１２の頂部に穴１９が穿設され、リブ１２の頂部よりも低い部分に貯水可能になっている。本例では、リブ１２の頂面には１つのリブ１２に対して４つの穴１９が穿設されており、リブ１２以外の底板１０ａの底面上に貯水可能な構成となっている。この構成により、リブ１２の頂面を超えた余剰水は穴１９から排出される。
【００２８】
リブ１２は、基盤材１０の底板１０ａの底面よりも高く形成されていると共に、上面が略平坦な頂部１２ａと、頂部１２ａの両端縁から下方に屈曲して延設されている傾斜面１２ｂ（１２ｂ１、１２ｂ２）とから構成され、上面側が凸状で、下面側が凹状になっている（図２（ｅ）〜（ｇ）参照）。換言すれば、リブ１２は、底板１０ａの底面から上方に屈曲延設してなる傾斜面１２ｂ１と、傾斜面１２ｂ１の上端を底板１０ａの底面と略平行になるような略平坦な頂部１２ａと、頂部１２ａの端部を下方に屈曲延設してなる傾斜面１２ｂ２とを有する構成となっている。尚、基盤材１０の底面（頂部１２ａ及び傾斜面１２ｂ１、１２ｂ２以外の部分）の平面視面積は、頂部１２ａ及び傾斜面１２ｂ１、１２ｂ２の平面視面積よりも大きく設定すると好適である。
【００２９】
また、リブ１２は、基盤材１０の底板１０ａから立ち上がる側面１０ｂまで一連に延びて形成されており、折板屋根Ｒの流れ方向（図２（ａ）に示すＹ方向）に平行な側面１０ｂにまで及んでいる。また、側面１０ｂは、上方に向かって開口が大きくなるようなテーパ面で形成されており、側面１０ｂの上端には外方に屈曲して延設されている突出片１３、１４が形成されている。平面視で隣り合う二辺の突出片１３は、他の隣り合う二辺の突出片１４よりも長く形成されている。尚、説明の便宜上、突出片１３、１４のうち、外方に長く突出するものを長突出片１３といい、外方に短く突出するものを短突出片１４という。即ち、基盤材１０の側面１０ｂ上端は、一の隣り合う２辺に外方に長く突出する長突出片１３が形成され、他の隣り合う２辺に外方に短く突出する短突出片１４が形成されて、全周を突出片１３、１４で囲まれて構成されている。また、長突出片１３は、短突出片１４よりも高い位置に形成されている。
【００３０】
また、基盤材１０の側面１０ｂの内の少なくとも平面視で対向する２辺には凹部１５が形成され、その凹部１５に潅水パイプＰが配設されるようになっている。本例では、凹部１５が折板屋根Ｒの山部１に直交する側面１０ｂ、換言すれば基盤材１０の折板屋根Ｒの流れ方向に直交する側面１０ｂの上端で、且つ中央よりも折板屋根Ｒの山部１側に位置する箇所に、潅水パイプＰを配設可能な凹部１５が形成され、折板屋根Ｒの流れ方向に沿って潅水パイプＰを配設可能に構成されている。尚、凹部１５を辺（側面１０ｂの上端部）の中央部に設けない構成とすることにより、基盤材１０の上方からの圧力に対して基盤材１０自体の強度アップを可能としている。また、凹部１５の最下端は、補強機能を有するリブ１２の上端より僅かに高い位置に設けると好適であり、潅水パイプＰを補強機能を有するリブ１２で支持することが可能となる。
【００３１】
基盤材１０は、合成樹脂製、発泡体、鋼板、木製、陶器製、石製等で構成するなど適宜であるが、好適には鋼板製、より好適にはガルバニウム鋼板製を絞り加工を施すことにより成形される構成にすると、強度、コスト、加工性、防錆性を高めることができて良好である。
【００３２】
また、図３に示すように、本実施例の育成材２０は、上面２０ａと下面２０ｂを有するマット状であり、その外周において基盤材側面１０ｂのテーパ面に沿うようなテーパ面になっている側面２０ｃが形成されている。また、下面２０ｂから下方に円形状の突出部２１が複数形成され、突出部２１に対応する上面には突出部２１に対応する形状の凹状部２２が形成され、育成材２０相互を重ね合わせた際に、突出部２１が凹状部２２に入り込み、積み重ねの際の嵩を低くすることができると共に、位置決め効果を発揮し、安定した積み重ねが可能となるように構成されている。更には、凹状部２２の存在により、吸い上げた水分が上方に移動するのではなく、横方向に広がる助けとなるため好適である。また、基盤材１０の側面１０ｂの凹部１５に対応する箇所には育成材凹部２３が形成され、後述する潅水パイプＰを敷設可能な構成となっている。具体的には、育成材凹部２３は、育成材２０の上面２０ａの一端部から、当該一端部に対向する他端部まで延設されている。また、育成材凹部２３は、潅水パイプＰを敷設可能な大きさ寸法の形状（例えば、潅水パイプＰを外嵌する大きさ寸法の円弧凹状の溝形状）に形成されている。
【００３３】
尚、突出部２１は、基盤材１０の貯水箇所（「リブ１２以外の底板１０ａの底面と、リブ１２の傾斜面１２ｂと、側面１０ｂとで囲まれている領域」）にそれぞれ２つずつ形成され、且つ当該貯水箇所の中心に設けられている。また、リブ１２相互間の距離と、突出部２１の下端の直径とが略同一に構成されている。このように突出部２１を構成することにより、確実に貯水箇所の水分を吸水することが可能になっている。また、育成材凹部２３を基盤材１０の凹部１５よりも浅く形成すると好適であり、硬い基盤材１０の凹部１５により潅水パイプＰが切断されるなどの不具合を未然に防止することが可能となっている。
【００３４】
育成材２０は植物３０を育成可能なものであればどのようなものであっても良く、例えば、パーライト、バーミキュウライト、ピートモス、バーク堆肥、チャフコン、木質腐朽有機物、ゼオライト、下水或いは浄水場から発生する汚泥、或いは汚泥の焼却灰などを単体で、或いは複数種類を混合して、更には根腐れ防止用の硅酸塩白土等を植物の種類、環境等に応じて適宜選定し、これらを保水性、排水性を良好にするためにバランス良く配合したものをバインダーで固化したもの、或いはウレタン、スポンジやヤシガラ等の繊維材等の軽量育成材など適宜である。
【００３５】
そして、基盤材１０及び育成材２０などを折板屋根Ｒに載置する場合、図４に示すように、先ず、折板屋根Ｒの山部１頂面に両面テープ或いは接着剤、粘着剤等の固定手段５を設け、その上に、育成材２０を収納した基盤材１０をリブ１２が折板屋根Ｒの流れ方向に直交するように、且つ山部１頂面のハゼ部分（ハゼ部３）に挟まれるような位置に載置することにより、折板屋根Ｒと基盤材１０の底面とが固定状態となる。また、図４の点線から明らかなように、この固定状態において、基盤材１０のリブ１２の長さ方向両端縁部が、折板屋根Ｒの山部１上に位置することから、基盤材１０上方からの圧力に対して、リブ１２を介して折板屋根Ｒの山部１で支持することができ、圧力に対する強度が向上する構成となっている。また、図２から明らかなように平面視において、基盤材１０は、底面（底板１０ａのリブ１２以外の部分）の面積がリブ１２の部分より大きくなっており、これにより、接着強度が確保できると共に、貯水量も十分に確保することが可能となる。
【００３６】
また、図５に示すように、一の基盤材１０は、隣り合う他の基盤材１０の短突出片１４上に長突出片１３が位置するように隣接して敷設することにより、基盤材１０から折板屋根（ハゼ部分を含む）Ｒが殆ど目視不能な状態になっている。この際、長突出片１３が隣り合う他の育成材２０上まで延びていることから、育成材２０の隣り合う２辺が長突出片１３により押えられ、育成材１０自体が風などにより飛散することを防止している。
【００３７】
その後、図１に示すように折板屋根Ｒの勾配に沿って１直線上になっている基盤材１０の凹部１５及び育成材凹部２３内に潅水パイプＰを敷設し、その上から切り芝などのマット状の植物（例えば、植栽マット）３０を載置することにより、施工が完了する。尚、潅水パイプＰは、多孔質パイプ、ドリップチューブ、しみ出しパイプ等適宜である。
【００３８】
また、前記植栽マットも芝に限らず、様々な植物、例えばタマリュウ、セダム、地被類、コケ、キリンソウ等をマット状にしたもの、或いは育成材２０の上面２０ａに凹部２２内に苗を植え付ける構成、或いは育成材２０上に植物の種子をまく、或いは育成材２０内に種子を混合させておくなど適宜である。
【００３９】
以上、本発明の実施例１の折板屋根緑化設備Ｗ及び固定構造を使用することにより、単純な構成であっても、基盤材１０上方からの圧力をリブ１２を介して折板屋根Ｒの頂部（山部１）で支持することが可能となり、高強度な折板屋根緑化設備Ｗを提供することが可能となり、メンテナンス性、施工性が向上し、コストダウン効果を発揮することができる。
【００４０】
また、本実施例では、折板屋根Ｒの頂部（山部１）と基盤材１０の底面（底板１０ａ）が固定手段５により強固に固定していることから、耐風圧対策も十分に取られており、且つ固定手段５により固定状態となっていることもあいまって、より一層基盤材１０上方からの圧力に対する強度が増すこととなる。
【００４１】
〔実施例２〕
次に、本発明の実施例２について上記実施例１と異なる箇所の詳細を説明する。実施例２の折板屋根緑化設備Ｗは、図６に示すように実施例１と同様に折板屋根Ｒの隣り合う山部１上に載置される構成となっている。尚、実施例２において、上述した実施例１で示した構成と同様の構成（或いは相当する構成）については、説明の便宜上、同じ符号を付している。また、実施例２においては、育成材６０及び植物３０が、基盤材５０の底板５０ａ上に設けられる植栽部Ｇに相当する。
【００４２】
図６に示すように、実施例２の基盤材５０は、略矩形状の底板５０ａと、底板５０ａの外縁から立上がる４つの側面５０ｂとを有する上面開放の箱型で、実施例１同様に、折板屋根Ｒの山部１に直交する方向である折板屋根Ｒの流れ方向に直交する方向に複数の第１リブ５１が形成されている。また、折板屋根Ｒの流れ方向に直交する側面（折板屋根Ｒの山部１に直交する側面）５０ｂの略中央には凹部５５が形成され、且つ凹部５５近傍の底板５０ａに、山部１と平行方向に延びて上方に突出する第２リブ（平行リブ）５３が形成されている。具体的には、基盤材５０の底板５０ａには、凹部５５近傍から折板屋根Ｒの流れ方向で、且つ第１リブ５１のうち、一番外側の第１リブ５１まで延設した第２リブ５３が形成されており、この第２リブ５３により潅水パイプＰを下から支持する構成となっている。尚、実施例２においても、実施例１と同様、第１リブ５１の頂面には複数の穴１９が穿設され、第１リブ５１の頂面を超えた余剰水が排出されるようになっている。
【００４３】
また、育成材６０は、図６に示すように、上面６０ａと下面６０ｂとを有するマット状であり、上面６０ａの中央に育成材凹部６３が形成されている。この育成材凹部６３は、第１実施例の育成材凹部２３に相当する構成であり、潅水パイプＰを敷設可能な大きさ寸法の形状に形成されている。また、育成材６０の上面６０ａには、楕円形状の凹状部６２が複数形成され、凹状部６２に対応する下面には、楕円形状の突出部６１が形成され、基盤材５０に貯水されている水分を吸水可能な構成となっていると共に、吸収した水分を育成材６０全体に広がり易い構成となっている。また、楕円形状の突出部６１は、基盤材５０のリブ（第１リブ５１、第２リブ５３）相互間或いは当該リブと側面５０ｂとの間の貯水空間における低勾配側に位置するように形成されており、より多くの水分を吸収することが可能となっていると共に、楕円形であることから、育成材６０に対する上方からの圧力を支持可能な構成となっている。
【００４４】
また、図７に示すように、緑化設備Ｗの折板屋根Ｒへの固定は、実施例１と同様に山部１に固定手段５を設け、且つ固定手段５上で且つ第１リブ５１に囲まれる箇所に固定部材６４を固定手段５に貼着してなり、固定部材６４が貼着された状態で、上から基盤材５０を配置する構成となっている。ここで、固定部材６４は、板状の上部６４ａと、上部６４ａの両端部から下方に屈曲延設している２つの側面部６４ｃと、一方の側面部６４ｃの下端から他方の側面部６４ｃの下端まで延びる下部６４ｂ（上部６４ａに相対向し且つ上部６４ａと平行な板状の下部６４ｂ）とを有する中空筒状に形成されている。また、一方の側面部６４ｃ（ハゼ部３側の側面部６４ｃ）には、ハゼ部３の首部３ａに係止可能な係止部６４ｄが設けられている。尚、図示する例では、係止部６４ｄは、側面部６４ｃの下部６４ｂ側が凸状に突出する段差状に形成されている。
【００４５】
そして、固定部材６４は、折板屋根Ｒの山部１の頂面に形成されているハゼ部３の首部分（首部３ａ）に突出する一部（係止部）６４ｄが入り込んだ状態で係合され、折板屋根Ｒに設けた固定手段５に貼着されており、その後、上から基盤材５０を配置し、基盤材５０のリブ５１上方からビス等の結合手段１００で、基盤材５０と固定部材６４とを結合して、固定部材６４を少なくとも基盤材５０の垂直方向に対して固定する構成となっている。即ち、折板屋根Ｒとリブ５１との間に形成される空間に折板屋根Ｒと固定状態となる固定部材６４が配設され、固定部材６４と基盤材５０とが結合手段１００により結合される。尚、固定部材６４は、基盤材５０と固定できる上部６４ａとハゼ部３の首部分（首部３ａ）に係止可能な係止部６４ｄを有していればどのような形状であっても良いが、本実施例のように押し出し成形にて成形できれば、安価である。
【００４６】
以上の構成により、基盤材５０の折板屋根Ｒの流れ方向に対しては固定手段５で強固に固定されると共に、基盤材５０の折板屋根Ｒの垂直方向に対しては固定部材６４で強固に固定されることから、耐風圧強度が増し、より安定した緑化構造（緑化設備Ｗ）を提供することが可能となる。尚、固定手段５として両面テープ等を使用すると、両面テープは水平方向への力に対して強固に固定できることから、より顕著な効果となる。つまり、固定部材６４は、基盤材５０に結合手段１００で結合されることにより、ハゼ３の首部３ａに係止した状態が維持され、上方への引っ張りによる強度が増すこととなる。
【００４７】
以上、本発明の実施例２を使用することにより、実施例１同様の効果を発揮すると共に、耐風圧強度が増し、より安定した緑化構造を提供することが可能となる。また、潅水パイプＰを基盤材５０の中心を通すことが可能となることから、確実に育成材６０全体に水分を行き渡らすことが可能となり、より良好な植物の生育が可能となる。
【００４８】
〔実施例の変形例等〕
本明細書開示の発明には、解決手段に記載の各発明や実施例等の構成のほかに、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、例えば下記の変形例も包含される。尚、下記の変形例において、上述した実施例で示した構成と同様の構成（及び相当する構成）については、説明の便宜上、同じ符号を付している。
【００４９】
例えば、基盤材１０、５０は上記実施例に限定されず、例えば図８に示すように、様々な構成が考えられる。図８（ａ）に示すように、水を貯水しないのであれば、実施例２の基盤材５０の側面５０ｂを無くした構成であっても良く、より低コストに製造することが可能となる。
また、図８（ｂ）に示すように、基盤材５０は、リブ７１を格子状に設け、格子状のリブ７１相互間に通水用の凹溝部７２を設け、且つ基盤材５０の凹部５５を対向する２辺に３箇所設ける構成であってもよい。これにより、水分を基盤材５０に行き渡らすことが可能となると共に、施工状態に応じて３箇所の潅水パイプ配設箇所を適宜選んで、或いは複数個所に潅水パイプＰを配設することが可能となり、施工現場にあった施工が可能となる。
また、図８（ｃ）に示すように、基盤材５０のリブ８１は必ずしも側面５０ｂまで延びている必要がなく、折板屋根Ｒの山部１の一部まで延びていれば良い。また、必ずしもリブ８１の頂面に穴を穿設する必要がなく、また、潅水パイプＰも折板屋根Ｒの流れ方向に直交する方向に配設可能に基盤材５０の凹部５５を設けることも可能である。また、リブ８１の形状により折板屋根Ｒと固定手段５による固定を強固に行うことが可能となり、また、潅水パイプＰの配設も、水源の位置、施工現場に応じて選択的に行うことが可能となる。即ち、凹部５５（説明の便宜上、「凹部５５ａ」という）が折板屋根Ｒの山部１に並行する基盤材５０の側面５０ｂに形成され、凹部５５ａの近傍の底板５０ａに、山部１と直交方向に延びて上方に突出するリブ８１が形成されている構成としてもよい。
【００５０】
また、図８（ｄ）に示すように、リブ９１を基盤材５０の側面５０ｂの上端まで延びるように形成しても良く、より基盤材５０自体の強度が増すこととなる。更に、上述した突出片１３、１４や基盤材の凹部１５、５５は必須条件ではなく、無くても良く、より安価に製造することが可能となる。更に図示しないが、上記実施例のように、リブは必ずしも傾斜面１２ｂと頂部１２ａを有する必要は無く、底板１０ａ（５０ａ）から壁状に突出するリブであっても良く、壁状のリブの場合は樹脂の射出成形が好適である。また、リブの傾斜面が垂直面であっても良いことは言うまでもない。更に、リブは斜め方向、円形、曲線状に形成しても良いことも言うまでもない。更に、リブの高さも適宜であり、異なる高さのリブを設けても良い。また、リブは底板に対して成形する必要は無く、別体のリブを底板上に載置する構成であっても良い。
【００５１】
また、固定部材６４は、１つの基盤材５０に対して、４つ設ける必要は無く、基盤材５０が設置される対向する山部１に対して１つずつ以上設ければよく、２個以上であればいくつであっても良く、更には、固定部材６４の数によって、耐風圧強度を設定するようにしても良い。また、結合手段１００も好適には１つの固定部材６４に対して２個であり、固定部材６４の回転を未然に防止することが可能となる。
【００５２】
また、上述した固定部材６４には、図９に示すように様々な構成のものを用いることができる。例えば、図９（ａ−１）、（ａ−２）に示すように、固定部材６５は、実施例２の固定部材６４と同様に、上部６５ａと下部６５ｂを有する筒状に形成され、ハゼ部３側にハゼ部３の首部３ａに係止可能な係止部６５ｄを有すると共に、下部６５ｂの下面に溝６５ｅを設ける構成としてもよい。これにより、山部１に対する固定部材６５の接着面が増え、固定強度が増すという効果が得られる。尚、本例は、金属、樹脂等適宜であり、押し出し成形にて成形可能で、安価に製造することが可能である。
また、図９（ｂ−１）、（ｂ−２）に示すように、１つのリブ５１に対して１つの固定部材６６である必要は無い。固定部材６６は、折板屋根Ｒの山部１上に載置される平板状の連結帯６６ａと、連結帯６６ａ間に少なくとも上部６６ｂ１を有する固定部６６ｂと、連結帯６６ａのハゼ部３側に設けられ、上方に屈曲延設してなる係止部６６ｃを有する構成であってもよい。この構成により、接着面が確保される。尚、本例は固定部６６ｂが下部を有さない構成としているが、固定部６６ｂに下部があっても良い。また、本例は、鋼板の曲げによる成形、樹脂による射出成形など適宜である。更に、本例では、基盤材５０の底板５０ａ下面が連結帯６６ａ上に載置されることになる。
また、図９（ｃ−１）、（ｃ−２）に示すように、固定部材６７が、図９（ａ−１）、（ａ−２）で示した固定部材６５を射出成形にし、下部６７ｂの溝６７ｅの方向を折板屋根Ｒの流れ方向に直交する方向にした構成であっても良い。この構成により、基盤材５０の水平方向への力に対する強度を増すことが可能となる。特に固定部材６７に接着剤或いは厚みのある両面テープ等を使用した場合に効果が顕著に現れる。
また、図９（ｄ−１）、（ｄ−２）に示すように、固定部材６８は、ハゼ部３を跨いで係合する構成であってもよく、この構成により、垂直方向への力に対する強度が増す。尚、本例の固定部材６８は、折板屋根Ｒの山部１上に貼着される下部６８ａと、下部６８ａの外端を上方に屈曲延設する側部６８ｂ（下部６８に対して略垂直に屈曲立設する側部６８ｂ）と、側部６８ｂ上端を水平方向に屈曲延設した上部６８ｃとを有している。また、本例の固定部材６８は、下部６８ａの内端に、ハゼ部３を跨いで反対側のハゼ部３の首部３ａに係止する係止部６８ｄを有する構成となっている。この係止部６８ｄは、下部６８ａの内端から斜め上方に延設される斜面部６８ｄ１と、斜面部６８ｄ１の端部から略円弧に湾曲した断面視略Ｃ字状の湾曲部６８ｄ２とを備えた弾性を有する板状に形成され、湾曲部６８ｄ２がハゼ部３の首部３ａに係止するようになっている。そして、本例を使用する場合、隣り合う基盤材５０において、ずれた位置のリブ５１を使用することが可能となる。
【００５３】
また、育成材２０、６０は、どのような材質、形状、構成であってもよく、側面を有する場合は粒状のものを採用しても良く、また、側面を有さない場合はマット状のもの或いはブロック状のものなどが採用可能であり、これらを組み合わせるなど適宜である。
【００５４】
また、本発明の基盤材１０、５０は、ハゼタイプの折板屋根Ｒ上に必ずしも設置する必要はなく、ボルトタイプの折板屋根上や陸屋根上等に設置しても良い。
【００５５】
また、基盤材１０、５０の折板屋根Ｒに対する固定において、接着は必須条件ではなく、固定部材６４、６５、６６、６７、６８のみにて行っても良く、また、固定部材６４、６５、６６、６７、６８を使用せずに、接着だけで行っても良く、更に、両面テープを使用する場合は、両面テープは折板屋根Ｒの山部１全長に設ける必要は無く、部分的に設ける構成、基盤材１０、５０の底板１０ａ、５０ａ側に設ける構成等適宜である。更に、接着、固定部材両方使用しない構成であってもよく、両方しない場合は公知のハゼ掴みなどを使用して基盤材を固定することが考えられる。尚、ハゼ掴みを使用する場合、ハゼ掴みの上面を平らにし、この平らのハゼ掴み上に隣り合う基盤材（基盤材１０、基盤材５０）の底面角部分（四隅）が載置され、当該基盤材の底面上からビス等でハゼ掴みの平ら面に固定する構成、或いはハゼ掴みのような、ハゼ部に対して固定が行われる部材を本願の固定部材として利用する構成等適宜である。
【００５６】
また、側面１０ｂ、５０ｂを有する基盤材１０、５０であっても、潅水パイプＰを配設するための凹部１５、５５は必須条件ではなく、無くても良い。この場合は、育成材２０、５０上に潅水パイプＰを配設し、その上に切り芝を載置する構成、或いは育成材２０、５０上に切り芝等の植栽マットを載置し、その上に潅水パイプＰを配設する構成等適宜であり、これにより、基盤材１０、５０の成形コストを低減することが可能となる。
【００５７】
また、上記実施例では基盤材１０、５０を平面視正方形に形成しているが、本発明は長方形であっても良く、幅のみあっていれば全て含まれる。
【００５８】
また、基盤材（基盤材１０、基盤材５０）に穿設される穴１９は無くても良く、また、穿設する場合であっても、必ずしもリブ（リブ１２、第１リブ５１）の頂部に穿設する必要はなく、前記リブの側面に設ける等適宜であり、また、穴１９の形状も丸形以外に、スリット形、三角形、四角形等の多角形等適宜である。
【００５９】
また、隣り合う基盤材１０相互を側面相互を覆うように被せられる連結材や相互嵌合構造等により連結する構成を付加しても良く、より耐風圧強度が増すこととなる。更に、基盤材１０は間隔をあけて設置しても良い。
【００６０】
また、基盤材１０内に育成材２０を収納して、その上にデッキ材などを設ける構成であってもよく、より美観に優れた緑化エリアを形成することが可能となる。
【産業上の利用可能性】
【００６１】
本発明は、例えば折板屋根の緑化に利用することができる。
【符号の説明】
【００６２】
Ｒ…折板屋根
１…山部、２…谷部、３…ハゼ部、３ａ…首部
５…固定手段
Ｗ…折板屋根緑化設備
Ｐ…潅水パイプ
１０…基盤材、１０ａ…底板、１０ｂ…側面、１２…リブ、１２ａ…頂部、１２ｂ…斜面部、１２ｂ１…斜面部、１２ｂ２…斜面部、１３…突出片（長突出片）、１４…突出片（短突出片）、１５…凹部、１９…穴
Ｇ…植栽部
２０…育成材、２０ａ…上面、２０ｂ…下面、２０ｃ…側面、２１…突出部、２２…凹状部、２３…育成材凹部
３０…植物
５０…基盤材、５０ａ…底板、５０ｂ…側面、５１…第１リブ、５３…第２リブ、５５…凹部、５５ａ…凹部
７１、８１、９１…リブ、７２…凹溝部、
６０…育成材、６０ａ…上面、６０ｂ…下面、６１…突出部、６２…凹状部、６３…育成材凹部
６４…固定部材、６４ａ…上部、６４ｂ…下部、６４ｃ…側面部、６４ｄ…係止部
６５…固定部材、６５ａ…上部、６５ｂ…下部、６５ｄ…係止部、６５ｅ…溝
６６…固定部材、６６ａ…連結帯、６６ｂ…固定部、６６ｂ１…上部（固定部）、６６ｃ…係止部
６７…固定部材、６７ｂ…下部、６７ｅ…溝
６８…固定部材、６８ａ…下部、６８ｂ…側部、６８ｃ…上部、６８ｄ…係止部、６８ｄ１…斜面部（係止部）、６８ｄ２…湾曲部（係止部）
【図１】
0005827838.tif 000002
【図２】
0005827838.tif 000003
【図３】
0005827838.tif 000004
【図４】
0005827838.tif 000005
【図５】
0005827838.tif 000006
【図６】
0005827838.tif 000007
【図７】
0005827838.tif 000008
【図８】
0005827838.tif 000009
【図９】
0005827838.tif 000010